(57)【要約】【課題】洗濯機や乾燥機等の不規則な形状の器具を収容するためのクリヤビュー梱包用組立体を提供する。【解決手段】本組立体は、器具（２０）の周囲に置かれて透明なフィルム（８０）内にぴったりと巻かれる二枚貝状の骨組みを含む。骨組みは、ヒンジを備えた上蓋部（４０）、この上蓋部の前部分に接着された前隅部柱（１２、１３）、上蓋部の後部分に接着された後隅部柱（１４、１５）、前記隅部柱の下端に接着された前後の下部品（３０）、及び二つの後隅部柱に接着されたバジロイド部品（５０）を含む。上蓋部及びバジロイド部品は、器具が内部に収容された梱包用組立体のバジロイド持ち上げを容易にする三層厚バジロイド取り扱いフランジを協働して形成する。上蓋部は三角形形状側壁（４２、４３）を有し、これらの側壁は、前隅部柱とともに、梱包の構造的一体性を維持し、バジロイド取り扱い中の台形化を阻止する。【選択図】図１
2004502612.tif 000002
【特許請求の範囲】
【請求項１】
不規則な頂部を持つ器具用の梱包用組立体であって、前記器具は、上面、及びこの上面の上方に延びる盛り上がった部分を有し、前記梱包用組立体は骨組みを有し、
該骨組みは、
上パネルと、この上パネルから下方に延びる側パネルと、上パネルから下方に延びた後、それ自体の上において内方に折り返されてスロットを画成する後部分とを持つ上蓋部と、
前後の下部品と、
前記上蓋部及び前記前下部品間において延びる二つの前隅部柱であって、上端及び下端を有し、前記前隅部柱の前記上端が前記上蓋部の前記側パネルに接着されており、前記前隅部柱の前記下端が前記前下部品に接着されている前記前隅部柱と、
前記上蓋部及び前記後下部品間において延びる二つの後隅部柱であって、上端及び下端を有し、前記下端が前記後下部品に接着されている前記後隅部柱と、
前記後隅部柱の前記上端に接着された後パネルを持つバジロイド部品であって、前記後パネルから折り目線に沿って延び且つ前記上蓋部の前記後部分に接着されて、前記梱包用組立体をその中に収容された器具とともにバジロイドフォークリフトトラックによって持ち上げて移動するのを容易にするバジロイド取り扱いフランジを形成する前記バジロイド部品とを、含む、
前記梱包用組立体。
【請求項２】
請求項１に記載の梱包用組立体において、
前記骨組み全体及び前記器具に、前記バジロイド取り扱いフランジを除いてきつく巻付けた透明なポリマー包装を更に含む、前記梱包用組立体。
【請求項３】
請求項２に記載の梱包用組立体において、
バジロイド取り扱い中に前記バジロイド取り扱いフランジを保持するため、前記上蓋部及び前記バジロイド取り扱いフランジにきつく巻き付けた保持バンドを更に含む、前記梱包用組立体。
【請求項４】
請求項１に記載の梱包用組立体において、
前記上蓋部の前記後部分によって画成された前記スロットに前記バジロイドフラップを挿入した、前記梱包用組立体。
【請求項５】
請求項１に記載の梱包用組立体において、
前記上蓋部の前記側パネルは、前記器具の前記上面が画成する平面の下まで延びている、前記梱包用組立体。
【請求項６】
請求項１に記載の梱包用組立体において、
前記上蓋部の前記側パネルは実質的に三角形形状であり、前記側パネルは前縁部及び後縁部を有し、前記前縁部は前記後縁部よりも更に下であって前記器具の前記上面が画成する平面の下方に延びている、前記梱包用組立体。
【請求項７】
前側及び後側、上面、前記後側の近くで前記上面の上方に延びる盛り上がった部分、及び二つの垂直方向前隅部を有する不規則な頂部を持つ器具を梱包するための骨組みにおいて、
上パネルと、この上パネルから下方に延びる実質的に三角形の側パネルと、ヒンジによって前記上パネルから分けられており且つ前記上パネルから下方に延びた後、上方折り返し縁部に沿ってそれ自体の上において内方に折り畳まれてスロットを画成する後部分とを持つ上蓋部と、
前記上蓋部に接着されており且つ前記上蓋部から下方に延び、前記器具の垂直方向前隅部に当接する二つの前隅部柱と、
前記器具の前記後側と隣接した後パネルと、この後パネルから折り目線に沿って延び且つ前記上蓋部の前記後部分によって画成された前記スロットの内側に接着されてバジロイド取り扱いフランジを形成するバジロイドフラップとを有する、バジロイド部品とを含み、
バジロイド持ち上げ中に上側に積み重ねられた梱包された第２器具により発生した、前記器具の前記前側上に位置決めされた前記上蓋部の一部に作用する下向きの力が、前記前隅部柱に伝達された後、前記器具の前記垂直方向前隅部に伝達され、これによって前記上蓋部の前記一部が下方に撓まないようにする、前記梱包用骨組み。
【請求項８】
前側及び後側及び上面を有する不規則な頂部を持つ器具を梱包するための骨組みにおいて、
互いにヒンジ連結された上パネル及び後パネル、及び前記上パネルにヒンジ連結された側壁を持つ上蓋部と、
前記側パネルの各々に連結されており且つ前記器具の前記前側と隣接して位置決めされた構造支持部材と、
前記後パネルに連結されており、前記後パネルとともにバジロイド取り扱いフランジを形成し、前記器具の前記後側と隣接して位置決めされるバジロイド部品と、
前記バジロイド部品に連結されており、前記器具の前記後側と隣接して位置決めされた後側構造支持部材とを含む、前記梱包用骨組み。
【請求項９】
請求項８に記載の梱包用組立体において、
前記梱包用骨組みの全体及び前記器具に、前記バジロイド取り扱いフランジを除いて、きつく巻付けられた透明なポリマー包装を更に含む、前記梱包用組立体。
【請求項１０】
請求項９に記載の梱包用組立体において、
前記上蓋部及び前記バジロイド取り扱いフランジにきつく巻付けられた保持バンドを更に含む、前記梱包用組立体。
【請求項１１】
請求項８に記載の梱包用組立体において、
前記上蓋部の前記後パネルは内方に１８０度折り畳まれてスロットを画成し、前記バジロイド部品は、前記スロットに挿入されて前記後パネルに接着されるフラップを含む、前記梱包用組立体。
【請求項１２】
請求項８に記載の梱包用組立体において、前記側パネルは、前記器具の前記上面が画成する平面の下まで延びている、前記梱包用組立体。
【請求項１３】
請求項８に記載の梱包用組立体において、各側パネルは実質的に台形形状であり、前後の平行な垂直方向縁部を有し、前記垂直方向前縁部は前記垂直方向後縁部よりも長く、前記器具の前記上面が画成する平面の下で終端する、前記梱包用組立体。
【発明の詳細な説明】
【０００１】
【発明の属する技術分野】
本特許は、大型の器具用の梱包に関する。更に詳細には、この特許は、不規則な上面を持つ器具をバジロイド（ｂａｓｉｌｏｉｄ）取り扱いするためのクリヤビュー梱包用組立体に関する。
【０００２】
【従来の技術】
洗濯機や乾燥機等の不規則な形状を持つ大型の家庭用器具は、従来、六つの側部を持つ大きな段ボール箱に梱包されてきた。このような箱は、輸送中及び取り扱い中に器具を損傷しないように保護し、標準的なフォークリフト・トラックを使用して移動できる。箱に入れた器具は、十分な構造支持体が設けられている場合には積み重ねることができる。これは、ボール箱の内側に箱の内壁と器具との間に垂直方向支持柱を挿入することによって行うことができる。支持柱は、器具の隅部に、及び／又は器具の側部に沿って位置決めできる。この種のボール箱に梱包した場合、器具は見えない。
【０００３】
大型の器具用の包装を通して見える即ちシースルーの容器は、米国特許第３，８９１，０８６号、米国特許第４，８１１，８４０号、及び米国特許第５，３０７，９２８号で提案されている。これらの提案されたシースルー容器は、全体として、上下の蓋部、上蓋部と下蓋部との間を延びる隅部支持柱、及び重量のあるプラスチック製シースルー包装を含む。上下の蓋部は、米国特許第３，８９１，０８６号におけるように水平支持バンドで、又は米国特許第５，３０７，９２８号におけるように垂直支持バンドで支持柱に固定できる。この方法で梱包した場合、器具は標準的なフォークリフト・トラックで、又はバジロイド・リフト・トラックで移動できる。
【０００４】
バジロイド・リフト・トラックは、器具容器を容器の下部によってでなく上蓋部によって持ち上げる。バジロイド・リフト・トラックは、リフト・トラックの前端に取り付けられたエレベータ機構に固定された上フレームから延びる垂直方向に配向されたリフト・ブレードを有する。上蓋部を持つ器具を持ち上げるため、垂直ブレードを梱包された器具の側部とぴったり接触した状態に置く。エレベータ機構がリフト・ブレードを持ち上げるとき、ブレードの上縁部が梱包の側部と上蓋部の下方に延びるリップとの間の隙間に延びる。リフト・ブレードは、ブレードに取り付けられた水平方向持ち上げバーが上蓋部リップの下縁部に当接するまで持ち上げられる。次いで、エレベータ機構によって器具を持ち上げて床から離し、移動することができる。リフト・ブレードは、ブレードが上蓋部を突き刺さないように、上蓋部リップよりも僅かに短くなければならない。
【０００５】
梱包が適切に制作されている場合には、ユニットの頂部を持ち上げるブレードの力はユニットの下部に伝達される。バジロイド・ブレードと向き合った上蓋部の前縁部には大きな力は加わらない。しかしながら、梱包された第２の器具を第１ユニットの頂部上に置いたとき、上側のユニットの重量は、全てがバジロイドフラップの上側に載っているのでないため、前方に移行する傾向がある。上側のユニットの重量が前方に移行するときに下側のユニットの前縁部が上蓋部を下方に撓ませる。この現象を台形化（ｔｒａｐｅｚｏｉｄｉｎｇ）と呼ぶ。下側のユニットの前縁部が下方に撓むとき、上側のユニットが前方に傾いて落下することがある。上蓋部の前縁部は、上蓋部の前縁部と不規則な形状の器具の上面との間の垂直方向空間に応じて上方に１５．２４ｃｍ（６インチ）又はそれ以上撓む。
【０００６】
不規則な形状の器具を収容した梱包の台形化を阻止するための一つの方法は、発泡ポリスチレン等の弾性材料でできた離間材を使用して上蓋部と器具上面との間の空間を埋め、これによって上側の器具から下側の器具の上面に力を直接伝達することである。しかしながら、離間材は材料を浪費し、また過剰の望ましからぬ力が下側の梱包の底部に作用する。
【０００７】
【発明が解決しようとする課題】
かくして、本発明の目的は、バジロイド持ち上げ中及び取り扱い中に構造上の一体性を維持するシースルー梱包用組立体を提供することである。
【０００８】
本発明の別の目的は、第２ユニットを上側にバジロイド持ち上げするときに台形化に抵抗する、不規則な形状の器具用の梱包用組立体を提供することである。
本発明の更に別の目的は、上蓋部と、別体のバジロイド部品との協働によって形成された一体のバジロイド・フラップを持つ梱包用組立体を提供することである。
【０００９】
本発明の他の目的は、ベースパッド上に取り付けられた器具に容易に設置できる二枚貝型梱包用組立体を提供することである。
本発明のこの他の目的及び追加の目的は、以下の説明、添付図面、及び特許請求の範囲から明らかになるであろう。
【００１０】
【課題を解決するための手段】
本発明は、不規則な頂部を持つ器具、即ち比較的平らな上面及びこの上面の上方に延びる盛り上がった部分を代表的には後部に備えた器具用の梱包用組立体である。この梱包用組立体は、器具に設置する前に互いに接着される二枚貝状の骨組みと、この骨組みを器具に設置した後に骨組みにぴったりと巻付けられる透明なポリマーフィルムとを含む。
【００１１】
二枚貝状の骨組みは、段ボール製の上蓋部、前後の隅部柱、二つの下部品、及びバジロイド部品からできている。上蓋部は、大きな平らな上パネル、この上パネルの両側から下方に延びる実質的に三角形形状の側パネルと、二枚貝の蝶番として機能する折り目線によって上パネルから分けられた後フラップとを有する。二つの前隅部柱が三角形形状の側パネルに接着されている。これらの二つの前隅部柱の下端は下部品の一方に接着され、二枚貝の片半部を形成する。
【００１２】
バジロイド部品は、後パネルと折り目線によって分けられたバジロイド・フラップとを有する。上蓋部後フラップ及びバジロイド・フラップは互いに接着されてバジロイド取り扱いフランジを形成する。このバジロイド取り扱いフランジは、内部に器具を収容したパネル組立体をバジロイド・フォークリフト・トラックで持ち上げて移動するのを容易にする。二つの後隅部柱は、それらの上端に沿ってバジロイド部品後パネルに接着され、それらの下端に沿って第２下部品に接着され、二枚貝の他方の半部を形成する。
【００１３】
二枚貝骨組みは、ベースパッド上に取り付けられた器具に容易に設置できる。骨組み及び器具は、バジロイド・フラップを除き、透明なポリマー包装材料に包まれ、器具の大部分を見える状態にする。バジロイド・フラップを水平保持バンドで保持し、構造を完成する。
【００１４】
従来のシースルー梱包では、バジロイド持ち上げ中に上側に積み重ねられた第２ユニットによって生じた下方への力により、下側のユニットの上蓋部の前縁部が下方に撓み、台形化と呼ばれる現象が生じる。この撓みは、上蓋部の前縁部が下側の器具の上面と出会うまで続き、上側の器具を前方に傾ける。
【００１５】
本発明は、前隅部柱に接着された実質的に三角形形状の側パネルを設けることによってこのような台形化を阻止する。前隅部柱は、器具の垂直方向前隅部と当接する。二つの積み重ねた器具のバジロイド持ち上げ中、上側のユニットから上蓋部の前縁部に加えられる下方への力が前隅部柱に伝達された後、器具の垂直方向前隅部に伝達される。垂直方向前隅部は、隅部柱及び上蓋部が二枚貝の蝶番を中心として回転することがないようにし、これによって器具の従来のシースルー梱包と関連した台形化を阻止する。
【００１６】
前隅部柱は、上蓋部側壁によって画成された三角形の延長部として作用し、バジロイド持ち上げ中に上側のユニットによって発生した力を下側の器具の垂直方向前縁部全体に沿った領域まで拡げるのに役立つ。前隅部柱が上蓋部に接着されていない場合には、上蓋部が前隅部柱に沿って下方に摺動し、台形化を生じる場合がある。
【００１７】
【発明の実施の形態】
本発明は、骨組み及び透明な包装を含む梱包用組立体である。添付図面を参照すると、図１には、本発明に従って形成した骨組みの一実施例が示してある。骨組み１０は、不規則な頂部を持つ器具をバジロイド取り扱いするために設計されており、四つの構造支持部材１２、１３、１４、及び１５、二つの下部品３０、上蓋部４０、及びバジロイド・フランジ部品５０を含む。組立体骨組み１０は、ヒンジ連結された二部品構造を有し、器具２０に容易に設置される。
【００１８】
図５に示す一つの共通の考えられる用途では、器具をベースパッド６０に取り付ける。このベースパッドは、組み立て中及び取り扱い中に器具２０を支持する。ベースパッド６０は、木材、紙及び板紙、発泡体、又は任意の他の適当な材料又はこれらの材料の組み合わせから形成できる。ベースパッドは、現在継続中の米国特許出願の要旨であるソノコ・プロダクツ社がソノベース（ソノベース（Ｓｏｎｏｂａｓｅ）は登録商標である）の商標で製造している製品等の低密度材料及び高密度材料の組み合わせから製造できる。
【００１９】
器具に設置した後、梱包用組立体骨組み１０は、以下に説明するバジロイド取り扱いフランジ７０を除いて、器具２０の大部分を見えるようにできる（図６参照）透明なプラスチックフィルム８０（「クリヤビュー：Ｃｌｅａｒｖｉｅｗ」）内に包装される。保持バンド２８を上蓋部４０の上端及びバジロイド取り扱いフランジ７０にきつく巻付け、バジロイド持ち上げ中及び取り扱い中にフランジ７０を適正位置に維持する。骨組み１０及び透明な包装８０を含む最終的な梱包用組立体をクリヤビュー・バジロイド梱包（Ｃｌｅａｒｖｉｅｗ　ｂａｓｉｌｏｉｄ　ｐａｃｋ）と呼ぶことができる。
【００２０】
以下の説明上、「左」、「右」、「前」、及び「後」という用語は、梱包されるべき器具の左側、右側、前側、及び後側を意味する。
図２は、上蓋部４０の形成に使用される板紙半製品を示す。この半製品は、折り目線４２ａ、４３ａ、４６ａ、及び４７ａによって画成された上パネル４１を有し、この上パネルの幅及び深さは、梱包されるべき器具の寸法で決まる。組み立てた状態の骨組み１０では、左右の側パネル４２、４３が上パネル４１から下方に延びており、二つの前隅部柱１２、１３に接着されている。好ましくは、側パネル４２、４３を所定角度で切断し、これらのパネルを、その前縁部が後縁部よりも大きく下方に延びる実質的に三角形形状にする。好ましくは、側パネル４２、４３の前縁部は、器具２０の上面２１が画成する平面の近くに又はその下まで延びる（図５及び図６参照）。
【００２１】
図２を再度参照すると、左側パネル４２を折り目線４４ａに沿って折り畳み、左前フラップ４４を形成する。このフラップを上パネル４１に対して直角に折り畳み、左前隅部柱１２に接着する。同様に、右側パネル４３を折り目線４５ａに沿って直角に折り畳み、右前フラップ４５を形成する。次いで、このフラップを右前隅部柱１３に接着する。前パネル４６は、上パネル４１の前縁部４６ａから下方に延びており、左右の前フラップ４４、４５の上部分に接着される。
【００２２】
次に図２及び図７を参照すると、折り目線又はヒンジ４７ａが上パネル４１を短い後フラップ４７から分ける。このヒンジ４７ａにより、骨組みは二枚貝のように動くことができる。骨組み１０を器具２０に設置した後、短い後フラップ４７は、上パネル４１から下方に延び、上方折り返し縁部４９で終端する。上パネル４１の連続部である内フラップ４８は、縁部４９から上方に後フラップ４７と平行に延び、別体のバジロイド・フラップ５５を以下に説明するように収容する空間をその間に画成する。
【００２３】
図３は、バジロイド部品５０の形成に使用される半製品の平面図である。この半製品は、折り目線５３ａ、５４ａ、下縁部５４、及び下方折り返し縁部５５ａによって画成された後パネル５１を有する。図６に示すように、バジロイド部品５０は、好ましくは、器具２０の上面２１が画成する平面の下に延び、不規則な形状の器具２０の後側の高くなった部分２３の周囲に三つの側部を備えた貝殻形状体を形成する。組み立てた状態の骨組み１０では、左右の側フラップ５２、５３が後パネル５１から延びており、後側の左右の隅部柱１４、１５の上部に夫々接着される。
【００２４】
図７に最もよく示すように、バジロイド・フラップ５５が上蓋部４０の後フラップ４７と上方折り返された内フラップ４８との間で下方に延びており、接着剤又は他の接着手段によってそれらの間に固定され、バジロイド取り扱いフランジ７０を形成する。骨組み１０を器具２０に設置し、透明なフィルム８０で包んだ後、バジロイド・フランジ７０を保持するため、保持バンド２８をアッセンブリの上部分にきつく巻付ける。バジロイド・フランジ７０は三層厚であり、バジロイド・ブレードの持ち上げ力に耐える下縁部４９を有する。
【００２５】
バジロイド取り扱いフランジ７０は、好ましくは、上パネル４１から下方に約１５．２４ｃｍ乃至３５．５６ｃｍ（約６インチ乃至１４インチ）延びており、保持バンド２８によって所定の場所に保持される。フラップ７０の目的は、バジロイドフォークリフト・トラックのバジロイド持ち上げブレードを受け入れることである。バジロイド・ブレード（図示せず）は、バジロイド・フランジ７０とバジロイド部品５０の後パネル５１との間のスロット７１に挿入される。バジロイド・ブレードは上縁部に丸みが付けてあるため、フォークリフトのオペレータがブレードを誤ってプラスチックフィルムカバー７０及びバジロイド部品５０の後パネル５１に引っ掛かることがない。バジロイド・ブレードはバジロイド・フランジ７０の長さよりも僅かに短く、そのため、スロット７１に一杯に挿入したとき、ブレードの上縁部がバジロイド・フラップ５５の上縁部５５ａを突き刺すことがない。
【００２６】
完全に設置したとき、バジロイド・ブレードに取り付けられた水平バーがバジロイド・フラップ５５の下縁部４９に当接し、梱包及び器具を持ち上げる。持ち上げ中、保持バンド２８がバジロイド・フラップ５５を所定位置に保持する。
【００２７】
図４は、下部品３０の各々の形成に使用される板紙半製品を示す。この半製品は、折り目線３２ａ、３３ａ、３６ａ、及び３７によって画成された下パネル３１を有する。図１に示すように、及び前側下部品３０を参照すると、側パネル３２、３３が下パネル３１から上方に延び、前左隅部柱１２及び前右隅部柱１３の夫々の下部分の側部に接着されている。左右の側フラップ３２、３３を約９０度の角度をなして折り畳んで前フラップ３４及び３５を形成し、これらのフラップを前隅部柱１２、１３の下前面に接着する。前フラップ３６が下パネル３１から上方に延びており、前フラップ３４、３５の下外面に接着される。後隅部柱１４、１５に接着される後下部品３０の形成に同様の半製品が使用される。
【００２８】
梱包用骨組み１０を組み立てるため、四つの隅部柱１２、１３、１４、及び１５と、２つの下部品３０と、上蓋部４０と、バジロイド・フランジ部品５０とを図１に示すように互いに接着し、梱包用骨組みを形成する。次いで、ベースパッド６０上に載った器具２０にこの梱包用骨組み１０を図５に示すように二枚貝態様で装着する。バジロイド取り扱いフランジ７０が全体に水平方向に延びた状態で、ぴったりとした透明なポリカバー８０を器具２０及び梱包用骨組み１０に巻付ける。巻付けプロセスが完了したとき、バジロイド取り扱いフランジ７０を下方に折り畳んで図６及び図７に示す位置にし、金属製又はプラスチック製の保持バンド２８をクリヤビューバジロイドパックの丈夫にきつく巻付ける。
【００２９】
器具２０の周囲に設置したとき、梱包用組立体は、不規則な形状の器具を従来の器具用梱包内に梱包し、互いに積み重ね、バジロイド・ブレードで持ち上げる場合に生じることがある台形化現象に抵抗する。台形化に対するこの抵抗は、クリヤビューバジロイド梱包の独特の構造及び形状による。
【００３０】
本梱包用組立体の重要な特徴は、器具２０の上面近くの領域まで又は上面の下の領域まで下方に延びる実質的に三角形形状の側壁４２、４３である。上蓋部及び側壁は、前隅部柱１２、１３に接着されており、これらの柱は器具２０の垂直方向前隅部と当接し、これによって、上蓋部側壁４２、４３がヒンジ４７ａを中心として回転しないようにする。好ましくは、三角形形状側パネル４２、４３は器具２０の上面の下まで延びているが、本システムは、側パネル４２、４３が上面の僅かに上方の領域まで下方に延びている場合でも実施可能である。
【００３１】
前隅部柱１２、１３は、上蓋部側パネル４２、４３が画成する三角形の側部の延長部として機能する。上蓋部４０を前隅部柱１２、１３に接着することにより、上蓋部が隅部柱１２、１３に沿って下方に摺動しないようにする。このような摺動が起こると台形化が生じる。バジロイド持ち上げ中、隅部柱１２、１３は、上側の器具ユニットが発生した下方への力を、隅部柱１２、１３と接触した下側の器具２０の垂直方向前縁部に沿った領域に広げる。
【００３２】
二個積み重ねた器具のバジロイド持ち上げ中、上側のユニットから上蓋部４０の前縁部に沿った下方への力が前隅部柱１２、１３に伝達され、次いで器具２０の垂直方向前隅部に伝達される。これらの垂直方向前隅部は、隅部柱１２、１３及びこれに接着された上蓋部４０が回転しないようにする。かくして、器具の従来の透明梱包と関連した台形化が回避される。
【００３３】
好ましくは、下部品３０、上蓋部４０、及びバジロイド部品５０は段ボール板からつくられるが、他の適当な材料を使用してもよい。好ましい実施例では、隅部柱１２、１３、１４、及び１５は、適当な構造強度を提供するのに十分な数の層をなして互いに積層した多数の紙シートから形成されている。巻き込むように巻いた板紙、リサイクル紙、処理紙、紙及び板紙の混合物、及び段ボール板等の他の隅部柱材料が考えられる。隅部柱は、上蓋部に接着できなければならない。隅部柱１２、１３、１４、及び１５は、サウスカロライナ州ハーツヴィルのソノコ・プロダクツ社がソノポスト（Ｓｏｎｏｐｏｓｔ）の商標で製造している種類の柱であってもよい。
【００３４】
このように、不規則な頂部を持つ器具のバジロイド取り扱い用のクリヤビュー梱包用組立体であって、梱包された別の器具をバジロイド・フォークリフト・トラックによって取り上げて上に置いたときの梱包の台形化を阻止する梱包用組立体を説明した。梱包用組立体は、器具の上側を支持に使用することなく、台形化を阻止する。
【００３５】
以上の教示及び添付の特許請求の範囲によって定義された本発明の趣旨及び範囲から逸脱しない本発明のこの他の変形及び変更が考えられる。特許請求の範囲は、その範疇の全てのこのような変更を含む。
【図面の簡単な説明】
【図１】
本発明の梱包用組立体の骨組みを器具に設置する前の状態で示す斜視図である。
【図２】
本発明の上蓋部を形成する半製品の平面図である。
【図３】
本発明のバジロイド部品を形成する半製品の平面図である。
【図４】
本発明の下部品を形成する半製品の平面図である。
【図５】
器具に部分的に設置した状態で示す図１の梱包用組立体骨組みの側面図である。
【図６】
器具を収容し、透明な包装で包んで完成した梱包用組立体にした状態で示す図１の梱包用組立体骨組みの側面図である。
【図７】
図６の梱包用組立体の一部の拡大図である。
【符号の説明】
１０　骨組み
１２　左前隅部柱
１３　右前隅部柱
１４、１５　構造支持部材
２０　器具
２１　器具上面
２８　保持バンド
３０　下部品
４０　上蓋部
４１　上パネル
４２　左側パネル
４３　右側パネル
４４　左前フラップ
４５　右前フラップ
４２ａ、４３ａ、４４ａ、４５ａ、４６ａ、４７ａ　折り目線
５０　バジロイド・フランジ部品
６０　ベースパッド
７０　バジロイド取り扱いフランジ
８０　透明なプラスチックフィルム
【国際公開パンフレット】
2004502612.tif 000003
2004502612.tif 000004
2004502612.tif 000005
2004502612.tif 000006
2004502612.tif 000007
2004502612.tif 000008
2004502612.tif 000009
2004502612.tif 000010
2004502612.tif 000011
2004502612.tif 000012
2004502612.tif 000013
2004502612.tif 000014
2004502612.tif 000015
2004502612.tif 000016
2004502612.tif 000017
2004502612.tif 000018
2004502612.tif 000019
2004502612.tif 000020
2004502612.tif 000021
2004502612.tif 000022
2004502612.tif 000023
2004502612.tif 000024
2004502612.tif 000025
2004502612.tif 000026
2004502612.tif 000027
2004502612.tif 000028
2004502612.tif 000029
【国際調査報告】
2004502612.tif 000030
2004502612.tif 000031